(57)【要約】【課題】嵌合操作が容易で、かつ、がたつきなく安定した嵌合状態とすることができるコネクタを提供する。【解決手段】互いに嵌合される一対のコネクタハウジングのうちの一方のコネクタハウジング２０にはスライダ４０が設けられている。他方のコネクタハウジング１０には、主フォロアピン１７およびこの主フォロアピン１７とは異なる位置に配された副フォロアピン１８が設けられている。スライダ４０には、両コネクタハウジングが嵌合完了に至るまで主フォロアピン１７を案内可能とする主カム溝４４と、両コネクタハウジングの嵌合途上から嵌合完了時を含むまでの間の任意の時期において副フォロワピン１８と係止状態となる副カム溝４８とが設けられている。【選択図】  図２
2004193014.tif 000002
【特許請求の範囲】
【請求項１】
互いに嵌合される一対のコネクタハウジングのうちの一方のコネクタハウジングには、カム溝を有するスライダが前記コネクタハウジング同士の嵌合方向とは交差する方向へ進退可能に設けられるとともに、他方のコネクタハウジングには前記カム溝と係合可能なフォロワピンが設けられ、前記スライダの進退に伴い前記両コネクタハウジングの嵌合初期から嵌合完了に至るまでの間前記フォロアピンが前記カム溝に沿って変位することにより、前記両コネクタハウジングが嵌合・離脱されるようにしたコネクタであって、
前記フォロワピンが前記カム溝内に係止している位置とは異なる位置において、前記両コネクタハウジングの嵌合途上から嵌合完了時を含むまでの間の任意の時期から前記両コネクタハウジング相互間あるいは前記他方のコネクタハウジングと前記スライダとの相互間を係止状態とする保持機構が備えられていることを特徴とするコネクタ。
【請求項２】
前記他方のコネクタハウジングには主フォロワピンとこのフォロワピンとは異なる位置に配された副フォロワピンとが設けられ、前記スライダには前記主フォロワピンに対し前記両コネクタハウジングの嵌合初期から嵌合完了に至るまで案内可能とする主カム溝と、前記両コネクタハウジングの嵌合途上から嵌合完了時を含むまでの間の任意の時期において前記副フォロワピンと係止状態となり、この副フォロワピンと共に前記保持機構を構成する副カム溝とが設けられていることを特徴とする請求項１記載のコネクタ。
【請求項３】
前記副カム溝は前記スライダの前進方向に関して前記主カム溝と重複して配置されていることを特徴とする請求項２記載のコネクタ。
【発明の詳細な説明】
【０００１】
【発明の属する技術分野】
本発明は、カム機構を介して嵌合・離脱操作されるコネクタに関する。
【０００２】
【従来の技術】
この種のコネクタの一例として、米国特許第６，１１３，４０７号に開示されたようなスライダ式のコネクタが知られている。このものは、互いに嵌合される一対のコネクタハウジングのうちの一方に、カム溝を有するスライダが嵌合方向とは交差する方向の進退可能に設けられるとともに、他方のコネクタハウジングにカム溝と係合可能なフォロワピンが設けられた構造であって、スライダが後退位置にある場合に両コネクタハウジングを嵌合すると、フォロワピンがカム溝の入口に臨み、続いてスライダを前進させると、フォロワピンがカム溝に沿って変位しつつ、両コネクタハウジングが嵌合されるようになっている。
【０００３】
【特許文献１】
米国特許第６，１１３，４０７号
【０００４】
【発明が解決しようとする課題】
ところでこのようなスライド式のコネクタであって、スライダの進退方向に複数組のカム溝およびフォロアピンを並べて形成したものにおいては、スライダの長さに制約がある以上、必然的に１本のカム溝の長さが短くなるとともに嵌合方向に対するカム溝の傾斜角が大きくなる。すなわち、このようなスライダによって両コネクタハウジングを嵌合させる場合には、嵌合開始（フォロアピンがカム溝の入口に進入した状態）から嵌合完了（フォロアピンがカム溝の終端部まで進んだ状態）までのスライダの変位量が小さくなってスライダの押し込み状況を容易に目視確認できなかったり、嵌合操作に要する操作力が大きくなるため、両コネクタが正規の嵌合位置に達していないにも関わらず、作業者が正規嵌合状態に至ったと勘違いする場合が生じ易くなるという問題がある。
【０００５】
その点、カム溝およびフォロアピンをスライダの進退方向に例えば一組だけ形成するようにした形式のものでは、カム溝を長く形成することができるとともに、嵌合方向に対するカム溝の傾斜角を小さくすることができる。したがって、このような形式のものによれば、嵌合操作に要する操作力を小さくすることが可能である。しかし、このようなカム溝・フォロワピンが一組しか設けない形式のものでは、両コネクタが正規嵌合した状態で、両コネクタがフォロワピンを中心として回動するようながたつきが生じてしまう、という問題がある。
かくして、上記した両形式のものにはいずれも長短があり、これらを合理的に解決するものの開発が望まれていた。
【０００６】
本発明は上記のような事情に基づいて完成されたものであって、嵌合操作が容易で、かつ、がたつきなく安定した嵌合状態とすることができるコネクタを提供することを目的とするものである。
【０００７】
【課題を解決するための手段、作用および効果】
上記の目的を達成するための手段として、請求項１の発明は、互いに嵌合される一対のコネクタハウジングのうちの一方のコネクタハウジングには、カム溝を有するスライダが前記コネクタハウジング同士の嵌合方向とは交差する方向へ進退可能に設けられるとともに、他方のコネクタハウジングには前記カム溝と係合可能なフォロワピンが設けられ、前記スライダの進退に伴い前記両コネクタハウジングの嵌合初期から嵌合完了に至るまでの間前記フォロアピンが前記カム溝に沿って変位することにより、前記両コネクタハウジングが嵌合・離脱されるようにしたコネクタであって、前記フォロワピンが前記カム溝内に係止している位置とは異なる位置において、前記両コネクタハウジングの嵌合途上から嵌合完了時を含むまでの間の任意の時期から前記両コネクタハウジング相互間あるいは前記他方のコネクタハウジングと前記スライダとの相互間を係止状態とする保持機構が備えられているところに特徴を有する。
【０００８】
上記請求項１の発明によれば、両コネクタハウジングの初期嵌合時においてフォロワピンをカム溝の入り口部分に適合させ、その状態でスライダを前進させる。これに伴い、両コネクタハウジングの嵌合が進行し正規嵌合に至る。そして、コネクタハウジング同士の嵌合途上から嵌合完了時を含むまでの間の任意の時期から保持機構が係止状態となる。この保持機構の係止位置はフォロワピンとカム溝との係止位置とは異なるため、両コネクタハウジングは嵌合が完了した状態においては回り止めされた状態で保持される。したがって、両コネクタハウジング同士は安定した嵌合状態となり、またカム溝は一つだけ設けられるだけであるから、充分な長さを確保できかつその傾斜角度も緩く設定できるため、操作力も低くてすむ。
【０００９】
請求項２の発明は、請求項１記載のコネクタであって、前記他方のコネクタハウジングには主フォロワピンとこのフォロワピンとは異なる位置に配された副フォロワピンとが設けられ、前記スライダには前記主フォロワピンに対し前記両コネクタハウジングの嵌合初期から嵌合完了に至るまで案内可能とする主カム溝と、前記両コネクタハウジングの嵌合途上から嵌合完了時を含むまでの間の任意の時期において前記副フォロワピンと係止状態となり、この副フォロワピンと共に前記保持機構を構成する副カム溝とが設けられているところに特徴を有する。
【００１０】
請求項２の発明によれば、両コネクタの嵌合に際してはまず主フォロワピンが主カム溝に適合し、スライダの前進操作によって両コネクタハウジングの嵌合動作を進行させ嵌合完了に至らしめる。そして、両コネクタハウジングの嵌合過程において、嵌合途上から嵌合完了時を含むまでの任意の時期において副フォロワピンが副カム溝内へ進入した係止状態となる。これによって、両コネクタハウジングが嵌合した状態では主フォロワピン周りのがたつきを緩和することができる。
【００１１】
請求項３の発明は、請求項２記載のコネクタであって、前記副カム溝は前記スライダの前進方向に関して前記主カム溝と重複して配置されているところに特徴を有する。
【００１２】
請求項３の発明によれば、副カム溝と主カム溝とをスライダの前進方向に関して重複配置したことによって、スライダの前進方向に沿った寸法範囲内で主カム溝を長くかつその傾斜角度を緩く設定することが可能となり、もってスライダの操作力の低減を図ることができる。
【００１３】
【発明の実施の形態】
＜第１実施形態＞
以下、本発明の第１実施形態を図１ないし図１５に基づいて説明する。
この実施形態では、スライダによるてこ機能を利用して嵌合・離脱を助勢する形式のコネクタを例示しており、図１ないし図３に示すように、互いに嵌合される雄側のコネクタハウジング１０（以下、雄ハウジングという）と、雌側のコネクタハウジング２０（以下、雌ハウジングという）とを備え、この雌ハウジング２０にスライダ４０が装着されるようになっている。
【００１４】
雄ハウジング１０は合成樹脂製であって、図４にも示すように、横長のブロック状をなす本体部１１の前面に小フード部１２が突設された形状となっている。この雄ハウジング１０における小フード部１２の奥面からは、その正面から見た右端の領域に、図示４本の大雄端子１４Ｌが格子状に配されて突設されているとともに、残りの領域には、小雄端子１４Ｓが、図示１４本ずつの列となって３段に分かれて突設されている。
【００１５】
雌ハウジング２０は同じく合成樹脂製であって、図５にも示すように、上記した雄ハウジング１０の小フード部１２内に嵌合可能な扁平なタワー部２１の回りに、小フード部１２の外側に嵌合可能な大フード部２２が設けられた形状となっている。大フード部２２の上面と下面とには、図３に示すように、それぞれ所定間隔を開けてカバー部２３が形成されており、両カバー部２３と大フード部２２の上下の面との間に、後記するスライダ４０の摺動板４１が挿通される挿通路２４が形成されている。この挿通路２４は、左右両面に開口しているのに対して、前後両面は塞がれている。
【００１６】
上記したタワー部２１内には、図５に示すように、その正面から見た左端の領域に、大雌端子２６Ｌ（同図の鎖線参照）が収容される４個の大キャビティ２７Ｌが、大雄端子１４Ｌと対応して格子状の配置で形成されているとともに、残りの領域には、小雌端子２６Ｓ（図３の鎖線参照）が収容される小キャビティ２７Ｓが、小雄端子１４Ｓと対応するようにして、１４個ずつの列となって３段に分かれて形成されている。
【００１７】
大キャビティ２７Ｌの底面には、大雌端子２６Ｌに一次係止する大ランス２８Ｌが撓み変形可能に設けられている一方、小キャビティ２７Ｓの天井面には、小雌端子２６Ｓに一次係止する小ランス２８Ｓが同じく撓み変形可能に設けられている。
【００１８】
タワー部２１の正面から見た左右側面にはリテーナ差込口３０が開口され、大小の雌端子２６Ｌ，２６Ｓをそれぞれ二重係止するリテーナ３１が差し込み可能とされている（図３参照）。
すなわちリテーナ３１がリテーナ差込口３０に挿入されると、まず係止突部３２（小雌端子２６Ｓ用のみを図３に図示）が対応するキャビティ２７Ｌ，２７Ｓの手前側に退避した仮係止位置に保持され、この状態で雌端子２６Ｌ，２６Ｓが対応するキャビティ２７Ｌ，２７Ｓ内に挿入され、所定位置まで押し込まれると、ランス２８Ｌ，２８Ｓによって一次係止される。続いて、リテーナ３１がさらに押し込まれて本係止位置に保持されると、係止突部３２が対応するキャビティ２７Ｌ，２７Ｓ内に進入して、そのキャビティ２７Ｌ，２７Ｓに挿入された雌端子２６Ｌ，２６Ｓに係止することで、抜け止め状態に二重係止するようになっている。
【００１９】
雌ハウジング２０にはスライダ４０が装着されるようになっている。このスライダ４０は、雌ハウジング２０と同様に合成樹脂製ではあるが、雌ハウジング２０とは異なった色の合成樹脂材により成形されている。
スライダ４０は、図１０ないし図１２に示すように、一対の摺動板４１の基端側同士を連結板４２で繋いだ門形形状に形成され、両摺動板４１を雌ハウジング２０の上下の挿通路２４に挿通しつつ左の側面側から差し込み装着されるようになっている。
【００２０】
両摺動板４１には、主カム溝４４が形成されている。主カム溝４４は、摺動板４１の先端側から長さ方向の中央部にわたり、幅方向の後縁に向けて次第に傾いた傾斜状に形成されている。この主カム溝４４の始端部４４Ａは傾斜が少し急に形成され、この始端部４４Ａに、摺動板４１の前縁に直角に開口した入口４５が連設されている。
【００２１】
また、両摺動板４１の長さ方向の中央部、つまり主カム溝４４に対しスライダ４０の押し込み方向に関する後方位置には、主カム溝４４とほぼ並列するようにして副カム溝４８が設けられている。副カム溝４８は摺動板４１の前縁には主カム溝４４側に比較して広めに形成された入口４９が開口し、かつこの入口部分周辺の始端部４８Ａは主カム溝４４の始端部４４Ａに比較して緩く傾斜している。また、副カム溝４８はスライダ４０の前進方向に関して始端部４８Ａ側が主カム溝４４と重複するようにして配されている。
【００２２】
これに対して雄ハウジング１０側では、図１ないし図４に示すように、小フード部１２の上下両面における前縁に寄った位置で、横幅方向の中央部に、上記した主カム溝４４に嵌合可能な主フォロワピン１７が立てられている。
また、この主フォロワピン１７の斜め後方には、副カム溝４８へ受け入れられる副フォロワピン１８が突出形成されている。このように、副フォロワピン１８が主フォロワピン１７よりも雄ハウジング１０の嵌合面から遠い位置に配されていることから、副フォロワピン１８が副カム溝４８の入口４８Ａに臨む時期は両コネクタハウジング１０，２０の嵌合終期となる。
【００２３】
一方、雌ハウジング２０における上下の挿通路２４の前面板２４Ａには、図５に示すように、その横幅方向の中央部に開口しフォロワピン１７の進入を許容する通孔４７と、この通孔４７の側方に開口し副フォロワピン１８の進入を許容する通孔４６とが設けられている。また、大フード部２２の横幅方向の中央部には、通孔４７と連続する逃がし溝（図示せず）が形成されているとともに、この逃がし溝の側方に、通孔４６と連続する逃がし溝２９が形成されており、それぞれ主フォロアピン１７および副フォロワピン１８の進入を許容している。
【００２４】
スライダ４０の両摺動板４１における基端側の外面には、スライダ４０を抜き差し操作する際に利用する掴み部５０が設定され、片方の掴み部５０は、図１０及び図１１に示すように撓み変形可能なロック片５２が形成され、先端がロック爪５３となっている。
一方、雌ハウジング２０における上下のカバー部２３の左右両端部には、例えば正面から見た左側の端部を例に取ると、上側のカバー部２３には、図６に示すように、スライダ４０の掴み部５０を嵌めて逃がす逃がし溝５５が形成され、一方の下側のカバー部２３には、図９に示すように、ロック片５２が進入可能な逃がし溝５５Ａが形成され、ただしこの逃がし溝５５Ａの先端側には、ロック片５２のロック爪５３が嵌まるロック孔５６が形成されている。
【００２５】
スライダ４０の両摺動板４１には、図１０及び図１１に示すように、主カム溝４４の長さ方向のほぼ中央部に対応する位置で、かつ後縁に寄った位置に、仮ロック片５７が形成されている。この仮ロック片５７は、摺動板４１の基端側を向いて片持ち状に突設されて撓み変形可能となっており、突出端の外面側に突部５８が形成されている。
一方、雌ハウジング２０におけるカバー部２３には、図２に示すように、その後縁に沿った位置の長さ方向の中央部に長溝６０が形成されている。この長溝６０内には、仮ロック片５７の突部５８が移動自由に嵌合可能であって、長さ方向の両端部で表面側が塞がれており、その塞がれた部分の内面に、図８に示すように、仮ロック片５７の突部５８が落ち込む係止孔６１が形成されている。
【００２６】
そして、スライダ４０が雌ハウジング２０の挿通路２４に図２の左側から挿通され、仮ロック片５７の突部５８が、長溝６０における同図の左側の端縁の係止孔６１に落ち込むことで、スライダ４０は後退位置に保持される。この後退位置では、同図に示すように、主カム溝４４の入口４５が雌ハウジング２０の通孔４７に整合した状態となる。
【００２７】
一方、連結板４２が雌ハウジング２０の左側面２０Ａに当たるまで押し込まれたところが前進位置であって、この前進位置では、図９に示すように、ロック片５２のロック爪５３がカバー部２３のロック孔５６に嵌まってロックされるようになっている。
【００２８】
雌ハウジング２０における上下のカバー部２３には、スライダ４０が正規に後退位置にあるか否かを確認するための確認窓６５が開口されている。確認窓６５は詳細には、図２に示すように長方形に形成され、上記した長溝６０よりも少し手前の位置で、かつカバー部２３の長さ方向の中央部に形成されている。
そして、スライダ４０が後退位置にある場合に限って、摺動板４１おける主カム溝４４の始端部４４Ａの奥側の縁の部分が、確認窓６５の全面に臨み、後退位置よりも前にあるときには主カム溝４４の一部が確認窓６５に臨む設定となっている。
【００２９】
また、スライダ４０が前進位置に至っているか否かを、手の感触で検知する手段が講じられている。そのため、スライダ４０の連結板４２には、図１２に示すように、その奥縁側の中央高さ位置に、縦長の凹部７０が切り欠き形成されている。
これに対して、雌ハウジング２０における左の側面２０Ａには、その奥縁側の中央高さ位置に、図８にも示すように、上記したスライダ４０の凹部７０に嵌まる突部７２が形成されている。この突部７２の突出高さは、連結板４２の厚さとほぼ等しく設定されており、したがってスライダ４０が前進位置に至り、すなわちスライダ４０の連結板４２が雌ハウジング２０の左の側面２０Ａに突き当たった際には、図１５に示すように、突部７２が凹部７０に嵌まり、かつ突部７２の突出面７２Ａと連結板４２の外面４２Ａとが面一となるようになっている。
【００３０】
本実施形態は上記のような構造であって、続いてその作用を説明する。
雌ハウジング２０側では、各キャビティ２７Ｌ，２７Ｓに雌端子２６Ｌ，２６Ｓが挿入され、リテーナ３１により二重に抜け止めされて収容される。
それとともに、雌ハウジング２０にスライダ４０が予め装着される。スライダ４０は雌ハウジング２０の左側面側から挿通路２４に挿入されて、一気に前進位置まで押し込まれる。図９に示すように、ロック片５２のロック爪５３がロック孔５６に弾性的に嵌まることで前進位置に保持される。
【００３１】
雌ハウジング２０は、スライダ４０を前進位置に装着した状態で、雄ハウジング１０との嵌合作業現場へと搬入される。そして、両ハウジング１０，２０を嵌合することに先立ち、スライダ４０が後退位置へ戻される。その場合は、スライダ４０の上下の掴み部５０（一方はロック片５２）を指で挟むようにして掴むと、ロック片５２が内方に撓み変形することでロック爪５３がロック孔５６から抜け、ロックが解除されるから、掴み部５０を掴んだままでスライダ４０を引っ張る。この間、仮ロック片５７が長溝６０に沿って戻り、突部５８が係止孔６１に落ち込んだところで引っ張りを停止すると、スライダ４０が図２に示す後退位置に保持された状態となる。ここで、確認窓６５を覗くことにより、スライダ４０が正規に後退位置まで戻されたか否かを確認することができる。
【００３２】
スライダ４０が正規の後退位置に戻されたら、図２の矢線に示すように、雄ハウジング１０が雌ハウジング２０の大フード部２２内に嵌合される。それに伴い、雄ハウジング１０側のフォロワピン１７が通孔４７を通って主カム溝４４の入口４５に進入し、さらに雄ハウジング１０を押し込むと、図１３に示すように、フォロワピン１７が始端部４４Ａの奥側の側縁（同図の上側の側縁）を押すことにより、その傾斜に倣ってスライダ４０が前進位置に向けて所定寸法移動する。これにより、フォロワピン１７が主カム溝４４に入り込んだ状態となり、このことは併せて、フォロワピン１７が始端部４４Ａの手前側の側縁に引っ掛かることで、雄ハウジング１０の外れ止めが図られる。
なお、主フォロアピン１７が主カム溝４４の始端部４４Ａの手前側の側縁に引っ掛かる位置に至るまで両コネクタハウジング１０，２０の嵌合が進んだ時点で、副フォロワピン１８が副カム溝４８の入口４９に臨む（図１３参照）。
【００３３】
続いて、図１３の矢線に示すように、スライダ４０を前進位置に向けて押し込む。これにより図１４に示すように、主に主カム溝４４の手前側の側縁がフォロワピン１７を押すことによって、雄ハウジング１０が次第に雌ハウジング２０側に押し込まれる。この間、副フォロワピン１８は副カム溝４８内を移動し、副フォロワピン１８が副カム溝４８の終端部４８Ｂにまで移動すれば、雄雌のハウジング１０，２０が正規に嵌合された状態となる。
【００３４】
このようにスライダ４０が前進位置まで押し込まれると、既述したように、ロック片５２のロック爪５３がロック孔５６に嵌まって抜け止め状態にロックされ（図９参照）、併せて両ハウジング１０，２０が正規の嵌合状態にロックされる。また、スライダ４０の連結板４２の外面４２Ａ側、特に凹部７０の位置の付近を手で触ってみることにより、スライダ４０が正規に前進位置に押し込まれたか否かを確認することができる。
【００３５】
このような正規嵌合状態においては、主フォロアピン１７と副フォロワピン１８とによる二箇所での係止により、両コネクタハウジングが回動方向へのがたつく事態を緩和することができる。また、両コネクタハウジング１０，２０を嵌合完了に至らしめるのは基本的には主フォロワピン１７と主カム溝４４との案内によるものであり、副フォロワピン１８と副カム溝４８との嵌合は途上からなされる副次的なものに過ぎない。したがって、副カム溝４８は主カム溝４４に比較して短く形成できることに加え、副カム溝４８は主カム溝４４と重複して配されていることから、重複せずに配した場合に比較して主カム溝の長さを長く確保することができるとともに、傾斜を緩く設定できるため、スライダ４０の進退操作時の操作力を低減させることができる。
【００３６】
＜第２実施形態＞
図１６ないし図２０に示す本実施形態のコネクタは、上記第１実施形態のものと概ね同様の構成であるが、副カム溝および副フォロワピンの位置が上記実施形態とは異なる位置とされている。以下、重複する部分は省略する。
【００３７】
スライダ４０は一対の摺動板４１の基端側同士を連結板４２で繋いだ門形形状に形成されており、両摺動板４１には、上記第１実施形態と同様の主カム溝４４が形成されている。また、図１７に示すように、両コネクタハウジング１０，２０の嵌合方向に関して主カム溝４４の後方には、副カム溝６８が配されている。この副カム溝６８は摺動板４１において連結板４２とは反対側の端部に始端が開口し、ここから終端部６８Ｂに至るまでの間はスライダ４０の後退方向に沿ってやや傾斜するようにして形成されている。
【００３８】
これに対して雄ハウジング１０側では、図１６に示すように、小フード部１２の上下両面における前縁に寄った位置で、横幅方向の中央部に、上記した主カム溝４４に嵌合可能な主フォロワピン１７が立てられているとともに、この主フォロアピン１７の斜め前方部には、上記した副カム溝６８に対し両コネクタハウジング１０，２０の嵌合終期において嵌合可能な副フォロワピン１９が突出形成されている。
【００３９】
一方、雌ハウジング２０における上下の挿通路２４の前面板２４Ａには、主フォロワピン１７の進入を許容する通孔４７と、副フォロワピン１９の進入を許容する通孔６９とが開口されている。また、大フード部２２の横幅方向の中央部には、通孔４７と連続する逃がし溝（図示せず）が形成されているとともに、この逃がし溝の側方に、通孔６９と連続する逃がし溝３３が形成されており、それぞれ主フォロアピン１７および副フォロワピン１９の進入を許容している。
【００４０】
本実施形態は上記のような構造であって、続いてその作用を説明する。
スライダ４０を正規に後退位置とした状態で、雄ハウジング１０を雌ハウジング２０の大フード部２２内に嵌合させると、雄ハウジング１０側のフォロワピン１７が通孔４７および逃がし溝を通って主カム溝４４の入口４５に進入するとともに、副フォロアピン１９が通孔６９を通って逃がし溝３３内に進入し、さらに雄ハウジング１０を押し込むと、主カム溝４４の傾斜に倣ってスライダ４０が前進位置に向けて所定寸法移動する。
【００４１】
続いて、図１８の矢線に示すように、スライダ４０を前進位置に向けて押し込むと、図１９に示すように、主に主カム溝４４の手前側の側縁がフォロワピン１７を押すことによって、雄ハウジング１０が次第に雌ハウジング２０側に押し込まれる。
このようにスライダ４０が前進位置に向けて押し込まれ、主フォロアピン１７が主カム溝４４の中央付近より終端側まで進入すると、つまり両コネクタハウジング１０，２０が嵌合終期に至ると、副フォロワピン１９がスライダ４０の副カム溝６８の入口に臨んだ後、内部に進入する（図１９参照）。引き続きスライダ４０が前進位置まで押し込まれると、図２０に示すように、主フォロワピン１７が主カム溝４４の終端部４４Ｂに移動するとともに、副フォロワピン１９が副カム溝６８の終端部６８Ｂに移動し、これにより雄雌のハウジング１０，２０が正規に嵌合された状態となる。
【００４２】
このような正規嵌合状態では、上記第１実施形態と同様に、雄ハウジング１０の主フォロアピン１７および副フォロワピン１９が摺動板４１の主カム溝４４および副カム溝６８と係合することで、二つの係止位置が設けられるため、両コネクタハウジング１０，２０を回動方向へのがたつきを緩和することができる。しかも、上記第１実施形態と比較して、副フォロワピン１９が副カム溝６８と嵌合する時期はコネクタハウジング同士の嵌合完了の直前の時期であることから、副カム溝６８の長さをより一層短くすることができ、逆にその分だけ嵌合操作の主体となる主カム溝４４の長さを長くすることができる。したがって、第１実施形態のものよりも嵌合操作に要する操作力をさらに低減させることができる。
【００４３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４４】
（１）上記実施形態では、保持機構を副カム溝および副フォロワピンとで構成したが、このようなカム機構に代えて嵌合完了時に相手側に係止するようなロックアーム（弾性係止手段）のような形式であってもよい。その場合、ロックアームはスライダとコネクタハウジング間で係止させてもよく、また両コネクタハウジング間で係止させるようなものであってもよい。
【００４５】
（２）上記実施形態では、副カム溝をスライダに形成するとともに、副フォロワピンを雄ハウジングに形成する構成としたが、例えば逆にする等、上記実施形態の構成に限定するものではない。
【００４６】
（３）スライダが雄ハウジング側に装着されるようになっていてもよい。
【図面の簡単な説明】
【図１】本発明の第１実施形態に係る雌雄のハウジングの嵌合前の斜視図
【図２】同じく平面図
【図３】その縦断面図
【図４】雄ハウジングの正面図
【図５】雌ハウジングの正面図
【図６】その平面図
【図７】その側面図
【図８】その背面図
【図９】その底面図
【図１０】スライダの底面図
【図１１】その縦断面図
【図１２】その側面図
【図１３】雌雄のハウジングの初期嵌合状態を示す平断面図
【図１４】その嵌合途中を示す平断面図
【図１５】その嵌合完了状態を示す一部切欠平面図
【図１６】本発明の第２実施形態に係る雌雄のハウジングの嵌合前の平面図
【図１７】スライダの底面図
【図１８】雌雄のハウジングの初期嵌合状態を示す一部切欠平面図
【図１９】その嵌合途中を示す平断面図
【図２０】その嵌合完了状態を示す一部切欠平断面図
【符号の説明】
１０...雄ハウジング
１７...主フォロワピン
１８，１９...副フォロアピン（保持機構）
２０...雌ハウジング
４０...スライダ
４１...摺動板
４４...主カム溝
４８，６８...副カム溝（保持機構）
【図１】
2004193014.tif 000003
【図２】
2004193014.tif 000004
【図３】
2004193014.tif 000005
【図４】
2004193014.tif 000006
【図５】
2004193014.tif 000007
【図６】
2004193014.tif 000008
【図７】
2004193014.tif 000009
【図８】
2004193014.tif 000010
【図９】
2004193014.tif 000011
【図１０】
2004193014.tif 000012
【図１１】
2004193014.tif 000013
【図１２】
2004193014.tif 000014
【図１３】
2004193014.tif 000015
【図１４】
2004193014.tif 000016
【図１５】
2004193014.tif 000017
【図１６】
2004193014.tif 000018
【図１７】
2004193014.tif 000019
【図１８】
2004193014.tif 000020
【図１９】
2004193014.tif 000021
【図２０】
2004193014.tif 000022